(57)【要約】再生チャンネル特性が同一または異なる記録層情報の記録された光情報保存媒体及びその記録／再生方法が開示されている。  この開示された光情報保存媒体は、再生専用領域に正規記録層情報が記録され、ユーザデータ領域を除外した領域の記録可能な領域に記録可能な有効記録層情報が記録され、正規記録層情報は、差動信号チャンネルまたはサムチャンネルで再生され、記録可能な有効記録層情報はサムチャンネルで再生される。  以上の構成により、光情報保存媒体の製造工程上のエラーによって正規記録層情報を何れも満足させられない場合に対する対応力を改善させてディスクの不良率を低下させ、記録層情報の不正確な適用によってユーザデータが損失されることを防止しうる。
2005528726.tif 000002
【特許請求の範囲】
【請求項１】
複数の記録層を有する多層の光情報保存媒体であって、
再生専用領域に正規記録層情報が記録され、ユーザデータ領域を除外した領域の記録可能な領域に記録可能な有効記録層情報が記録されたことを特徴とする多層の光情報保存媒体。
【請求項２】
前記正規記録層情報は、差動信号チャンネルで再生されるデータとして記録されたことを特徴とする請求項１に記載の多層の光情報保存媒体。
【請求項３】
前記差動信号チャンネルで再生されるデータは、高周波ウォッブルよりなることを特徴とする請求項２に記載の多層の光情報保存媒体。
【請求項４】
前記正規記録層情報は、サムチャンネルで再生されるピット形態で記録されたことを特徴とする請求項１に記載の多層の光情報保存媒体。
【請求項５】
前記記録可能な有効記録層情報は、サムチャンネルで再生されるデータよりなることを特徴とする請求項１ないし４のうち何れか一項に記載の多層の光情報保存媒体。
【請求項６】
リードイン領域、ユーザデータ領域及びリードアウト領域が備えられ、前記記録可能な有効記録層情報が前記リードイン領域及びリードアウト領域のうち少なくとも何れか一つの再起録可能な領域に記録されたことを特徴とする請求項５に記載の多層の光情報保存媒体。
【請求項７】
前記リードイン領域及びリードアウト領域の再起録可能な領域に記録可能な有効記録層情報が重複されて記録されることを特徴とする請求項６に記載の多層の光情報保存媒体。
【請求項８】
前記再起録可能な領域は、ディスクコントロールデータが記録される少なくとも一つ以上のディスクコントロールデータ領域と保留領域とを有するディスクコントロールデータゾーンを備え、前記少なくとも一つのディスクコントロールデータ領域または保留領域に記録可能な有効記録層情報が記録されることを特徴とする請求項６または７に記載の多層の光情報保存媒体。
【請求項９】
前記記録可能な有効記録層情報は、前記再起録可能な領域にある所定バイトの少なくとも一つ以上のビットを利用するか、または所定バイトのビット組合わせを利用して記録層フラグまたはコードで記録されることを特徴とする請求項１ないし４のうち何れか一項に記載の多層の光情報保存媒体。
【請求項１０】
前記記録可能な有効記録層情報は、再起録可能な領域にある所定のバイトにあるビットにそれぞれ対応する記録可能な記録層情報に対して各ビットに記録されることを特徴とする請求項１ないし４のうち何れか一項に記載の多層の光情報保存媒体。
【請求項１１】
リードイン領域、ユーザデータ領域及びリードアウト領域を備え、複数の記録層を有する光情報保存媒体を記録／再生する方法において、
前記リードイン領域及びリードアウト領域のうち少なくとも何れか一つの再生専用領域に正規記録層情報を記録する段階と、
前記リードイン領域及びリードアウト領域のうち少なくとも何れか一つの再起録可能な領域に記録可能な有効記録層情報を記録する段階と、
ディスクドライブで前記記録可能な有効記録層情報を認識し、対応する有効記録層にアクセスして記録を行う段階とを含むことを特徴とする光情報保存媒体の記録／再生方法。
【請求項１２】
前記正規記録層情報は、差動信号チャンネルで再生されるデータとして記録されたことを特徴とする請求項１１に記載の光情報保存媒体の記録／再生方法。
【請求項１３】
前記差動信号チャンネルで再生されるデータは、高周波ウォッブルよりなることを特徴とする請求項１２に記載の光情報保存媒体の記録／再生方法。
【請求項１４】
前記正規記録層情報は、サムチャンネルで再生されるピット形態で記録されたことを特徴とする請求項１１に記載の光情報保存媒体の記録／再生方法。
【請求項１５】
前記記録可能な有効記録層情報は、サムチャンネルで再生されるデータよりなることを特徴とする請求項１１ないし１４のうち何れか一項に記載の光情報保存媒体の記録／再生方法。
【請求項１６】
前記リードイン領域及びリードアウト領域の再起録可能な領域に記録可能な有効記録層情報が重複されて記録されることを特徴とする請求項１１ないし１４のうち何れか一項に記載の光情報保存媒体の記録／再生方法。
【請求項１７】
前記再起録可能な領域は、ディスクコントロールデータが記録される少なくとも一つ以上のディスクコントロールデータ領域と保留領域とを有するディスクコントロールデータゾーンを備え、前記少なくとも一つのディスクコントロールデータ領域または保留領域に記録可能な有効記録層情報が記録されることを特徴とする請求項１１ないし１４のうち何れか一項に記載の光情報保存媒体の記録／再生方法。
【請求項１８】
前記記録可能な有効記録層情報は、前記再起録可能な領域にある所定バイトの少なくとも一つ以上のビットを利用するか、または所定バイトのビット組合わせを利用して記録層フラグまたはコードで記録されることを特徴とする請求項１１ないし１４のうち何れか一項に記載の光情報保存媒体の記録／再生方法。
【請求項１９】
前記記録可能な有効記録層情報は、前記再起録可能な領域にある所定バイトの少なくとも一つ以上のビットを利用するか、または所定バイトのビット組合わせを利用して記録層フラグまたはコードで記録されることを特徴とする請求項１５に記載の光情報保存媒体の記録／再生方法。
【請求項２０】
前記記録可能な有効記録層情報は、再起録可能な領域にある所定のバイトのビットにそれぞれ対応する記録可能な記録層情報に対して各ビットに記録されることを特徴とする請求項１１ないし１４のうち何れか一項に記載の光情報保存媒体の記録／再生方法。
【請求項２１】
前記記録可能な有効記録層情報は、再起録可能な領域にある所定のバイトのビットにそれぞれ対応する記録可能な記録層情報に対して各ビットに記録されることを特徴とする請求項１５に記載の光情報保存媒体の記録／再生方法。
【発明の詳細な説明】
【技術分野】
【０００１】
本発明は多層の光情報保存媒体及びその記録／再生方法に係り、さらに詳細には再生チャンネル特性が同じであるか、または異なる記録層情報が記録された多層の光情報保存媒体及びその記録／再生方法に関する。
【背景技術】
【０００２】
一般的に、光情報保存媒体、例えば、光ディスクは、非接触式で情報を記録／再生する光ピックアップ装置の情報媒体として広く採用され、情報記録容量によってコンパクトディスク（ＣＤ）、デジタル多機能ディスク（ＤＶＤ）、高密度ディスク（ＨＤ−ＤＶＤ）に区分されうる。そして、データの記録、消去及び再生が可能な光ディスクとしては、ＣＤ−Ｒ、ＣＤ−ＲＷ、ＤＶＤ−ＲＷ、ＤＶＤ−ＲＡＭ、ＤＶＤ＋ＲＷなどがある。
【０００３】
一方、前記のような光ディスクの記録密度が高密度化されるにつれてディスクの記録層数も増える。このような多層のディスクを製作した後、最終特性を検査すれば、複数の記録層のうち工程上の問題によって一部記録層のみが規格で決まった記録特性を満足させる結果を得る。例えば、第１記録層Ｌ０と第２記録層Ｌ１とを有する２層ディスクで、第１記録層Ｌ０は記録特性を満足させるが、第２記録層Ｌ１は記録特性を満足させられなくなることもある。このような場合、第２記録層は使用不能であるが、第１記録層は使用可能であるので、容量面で単層ディスクと同じであるといえる。このように、複数の記録層を有する多層ディスクで、一部記録層は使用不能であるが、残りの記録層は使用可能な場合、これを不良ディスクとして処理して廃棄することは非常に浪費的である。したがって、最初に規定された全ての記録層に対して記録特性を満足させられなくても、記録特性を満足させる一部記録層を活用できる方法を模索する必要がある。
【発明の開示】
【発明が解決しようとする課題】
【０００４】
本発明は、前記問題点を解決するために創出されたものであって、相異なるチャンネル特性または同じチャンネル特性を利用して記録層情報を記録し、差動信号チャンネルまたはサムチャンネル（Ｓｕｍ  Ｃｈａｎｎｅｌ）に再生される記録層情報は、再生専用データとして記録されサムチャンネルで再生される記録可能な記録層情報は、ユーザデータ領域を除外した領域の再記録可能な領域に記録することによって、多層の記録層を有する光情報保存媒体に対して使用可能な記録層情報を提供するところにその目的がある。
【課題を解決するための手段】
【０００５】
前記目的を達成するために本発明の望ましい実施例による多層の光情報保存媒体は、複数の記録層を有する多層の光情報保存媒体であって、再生専用領域に正規記録層情報が記録され、ユーザデータ領域を除外した領域の記録可能な領域に記録可能な有効記録層情報が記録されたことを特徴とする。
【０００６】
前記正規記録層情報は、差動信号チャンネルで再生されるデータとして記録されることが望ましい。
【０００７】
前記差動信号チャンネルで再生されるデータは、高周波ウォッブルよりなることを特徴とする。
【０００８】
前記正規記録層情報は、サムチャンネルで再生されるピット形態に記録されたことを特徴とする。
【０００９】
前記記録可能な有効記録層情報は、サムチャンネルで再生されるデータよりなることを特徴とする。
【００１０】
前記光情報保存媒体は、リードイン領域、ユーザデータ領域及びリードアウト領域が備えられ、前記記録可能な有効記録層情報が前記リードイン領域及びリードアウト領域のうち少なくとも何れか一つの再起録可能な領域に記録されたことを特徴とする。
【００１１】
前記記録可能な有効記録層情報は、前記再起録可能な領域にある所定バイトの少なくとも一つ以上のビットを利用するか、または所定バイトのビットの組合わせを利用して記録層フラグまたはコードで記録されることを特徴とする。
【００１２】
前記記録可能な有効記録層情報は、再起録可能な領域にある所定のバイトにあるビットにそれぞれ対応する記録可能な記録層情報に対して各ビットごとに記録されることを特徴とする。
【００１３】
前記目的を達成するために本発明による光情報保存媒体記録／再生方法は、リードイン領域、ユーザデータ領域及びリードアウト領域を備え、複数の記録層を有する光情報保存媒体を記録／再生する方法において、前記リードイン領域及びリードアウト領域のうち少なくとも何れか一つの再生専用領域に正規記録層情報を記録する段階と、前記リードイン領域及びリードアウト領域のうち少なくとも何れか一つの再起録可能な領域に記録可能な有効記録層情報を記録する段階と、ディスクドライブで前記記録可能な有効記録層情報を認識し、対応する有効記録層にアクセスして記録を行う段階とを含むことを特徴とする。
【発明を実施するための最良の形態】
【００１４】
図１は、リードイン領域、ユーザデータ領域及びリードアウト領域を含む光情報保存媒体において、前記リードイン領域の構造を概略的に示す図である。リードイン領域は、ディスクの最内周側にピット形態または高周波ウォッブルよりなるものであって、ディスクについての基本的な情報が記録される再生専用データゾーン１０と、コネクションゾーン２０と、再起録可能なデータゾーン３０とを備える。
【００１５】
再生専用データゾーン１０にはディスクのサイズ、バージョン番号、記録条件が記録されるディスク情報ゾーン１０ａが備えられる。ここに、ディスクの正規記録層についての情報も共に記録されうる。ディスクの正規記録層情報とは、ディスクを規定するフォーマットでの所定の記録層に関する情報であって、記録層の数やピックアップがアクセスできる記録層のような情報がディスク関連情報ゾーン１０ａに記録される。ディスク正規記録層情報は、再生専用データであって、例えば、ＬＰＰ（Ｌａｎｄ  Ｐｒｅ−Ｐｉｔ）やピット形態で記録されるか、または高周波ウォッブル信号で記録されうる。ここで、高周波ウォッブル信号は、本出願人による既出願の韓国特許出願２００１−０２３７４７号に開示されているものであって、ユーザデータ領域に形成されたウォッブル信号に比べて相対的に高周波のウォッブル信号を表す。
【００１６】
高周波ウォッブルで記録された正規記録層情報は、プッシュプル信号を利用した差動信号チャンネルｃｈ２で再生される。また、ピット形態で記録された正規記録速度情報は、サムチャンネルｃｈ１で再生される。ディスクにデータを記録する時、このように記録されたディスクの正規記録層情報をディスクドライブで認識した後、当該記録層にピックアップがアクセスしてデータを記録できるように制御する。
【００１７】
コネクションゾーン２０には再生専用データゾーン１０と再起録可能なデータゾーン３０との間を連結するトランジションゾーンが備えられうる。このようなコネクションゾーン２０にはミラーゾーン２０以外にグルーブウォッブルよりなる領域によっても構成されうる。
【００１８】
一方、再起録可能なデータゾーン３０には、ディスクテストゾーン３０ａ、ドライブテストゾーン３０ｂ、ディスクコントロールデータゾーン３０ｃ及び欠陥管理ゾーン３０ｄが備えられうる。また、ディスクコントロールデータゾーン３０ｃにはディスクコントロール関連情報が記録される少なくとも一つ以上のディスクコントロール領域が備えられる。ここでは、例えば、第１ないし第４ディスクコントロール領域３０ｃ−１，３０ｃ−２，３０ｃ−３，３０ｃ−４が備えられた場合を例示した。これ以外に、予定されるものではないが、以後に他の情報が記録されうる余裕領域として少なくとも一つの保留領域３０ｃ−５，３０ｃ−６がさらに備えられうる。
【００１９】
また、リードアウト領域は、前記リードイン領域と類似した構造を有するものであって、ここでは詳細な説明を省略する。
【００２０】
理想的には、光情報保存媒体がディスク関連情報ゾーン１０ａに記録されたディスクの正規記録層情報によって全ての記録層で記録可能でなければならないが、実際には製造工程上のエラーによってディスクの正規記録層に関する情報の通りに全ての記録層で記録特性を満足させられず一部記録層では記録可能である一方、一部記録層では記録不能な場合が発生する恐れがある。このような場合、前記正規記録層情報の代わりに実際に記録特性が満足する記録可能な有効記録層情報を新たに記録する必要がある。
【００２１】
本発明の第１実施例による光情報保存媒体の記録／再生方法は、ユーザデータ領域を除外した領域の記録可能な領域に記録可能な有効記録層情報を記録することを特徴とする。例えば、リードイン領域、ユーザデータ領域及びリードアウト領域を含み、複数の記録層を備えた光情報保存媒体において、前記リードイン領域及びリードアウト領域のうち少なくとも何れか一つの再起録可能な領域に記録可能な記録層についての情報を記録する。例えば、再起録可能なデータゾーン３０の所定領域に記録可能な有効記録層情報を記録しうる。ここで、有効記録可能な速度情報は、サムチャンネルｃｈ１で再生されるデータであって、ユーザデータ領域で使われる記録方式と同一に記録されうる。
【００２２】
再起録可能なデータゾーン３０は、図２を参照するに、複数のバイトよりなり、複数のバイトのうち何れか１バイトに記録可能な有効記録層情報を記録しうる。例えば、再起録可能なデータゾーン３０の所定領域の０バイトポジション（ＢＰ）３５にある少なくとも１ビットを利用してまたは所定バイトのビット組合わせを利用して、それぞれ記録可能な記録層フラグまたはコードを記録する。ここでは、０ＢＰ
３５に記録可能な記録層情報を記録する場合を例示したが、０ＢＰ以外に所望のＢＰに記録可能な有効記録層情報を記録することが可能である。また、１バイトではない複数個のバイトを利用して記録層情報を表すこともある。
【００２３】
０ＢＰ  ３５の内部構造は、図３に示されたように、０〜７ビットｂ０，ｂ１，ｂ２，ｂ３，ｂ４，ｂ５，ｂ６，ｂ７までの８ビットよりなり、例えば、第７ビットｂ７と第６ビットｂ６とを利用して２層の記録層を有する規格に対して記録可能な有効記録層情報を次のように記録しうる。例えば、第７ビットと第６ビットとが００ｂと記録された場合には、第１記録層Ｌ０及び第２記録層Ｌ１いずれも使用可能であり、０１ｂであれば、第１記録層Ｌ０のみが使用可能であり、１０ｂであれば、第２記録層Ｌ１のみが使用可能であることを表示しうる。ここでは、２層のディスクである場合を例として説明したので、多量のビットは必要ないため、残りのビットは保留領域に残す。
【００２４】
さらに、２層以上のディスクに対して適用するために前記ビット数を増やして記録層情報を記録しうる。言い換えれば、再起録可能領域にある何れか１バイトの少なくとも１ビットを利用するか、またはビット組合わせを利用して記録可能な有効記録層情報を記録することが可能である。また、１バイトではない複数個のバイトを利用することもある。
【００２５】
それにより、リードイン領域及びリードアウト領域のうち少なくとも何れか一つの再起録可能なデータゾーンの所定領域に記録可能な有効記録層情報を記録し、ディスクドライブでこの記録層情報によってディスクの各記録層に対して記録を行うようにする。特に、前述した２層のディスクの例で、００ｂは第１及び第２記録層いずれをも使用可能な場合であって、テスト結果、このように規格で定めた記録層がいずれも使用可能であると判明された時には、別途の記録可能な記録層に対する記録なしに直ぐ出荷しうる。
【００２６】
望ましくは、前記記録可能な有効記録層情報は、ディスクコントロールデータゾーン３０ｃにある少なくとも一つのディスクコントロールデータ領域３０ｃ−１，３０ｃ−２，３０ｃ−３，３０ｃ−４に記録されうる。または、ディスクコントロールデータゾーン３０ｃの保留領域３０ｃ−５，３０ｃ−６に記録されうる。一方、前記例では、記録層情報をリードイン領域の再起録可能な領域に記録する場合を説明したが、保存媒体の外周側に設けられたリードアウト領域の再起録可能な領域にも記録しうる。
【００２７】
また、信頼性を高めるためにリードイン領域とリードアウト領域の再起録可能な領域に記録可能な有効記録層情報を重複して記録しうる。
【００２８】
本発明の第１実施例による光情報記録媒体は、前記方法によってリードイン領域及びリードアウト領域のうち少なくとも何れか一つの再起録可能な領域の所定領域に記録可能な有効記録層情報が記録される。前記記録可能な有効記録層情報は、所定バイトの少なくとも１ビットを利用したりビット組合わせを利用して速度フラグまたはコードで記録されうる。または、複数個のバイトを使用することも可能である。
【００２９】
一方、前記例では最大記録可能な速度情報が０ＢＰに記録される場合を説明したが、０ＢＰに限定されず、他のＢＰにも同一に適用できる。
【００３０】
本発明の第２実施例による多層の光情報記録媒体の記録／再生方法は、ユーザデータ領域を除外した領域の記録可能な領域に記録可能な有効記録層情報を１ビットごとにそれぞれ記録することを特徴とする。例えば、リードイン領域、ユーザデータ領域及びリードアウト領域を含み、複数の記録層を備えた光情報保存媒体で、前記リードイン領域及びリードアウト領域のうち少なくとも何れか一つの再起録可能な領域に記録可能な有効記録層情報を１ビットごとに記録する。ここで、記録可能な有効記録層情報は、サムチャンネルｃｈ１で再生されるデータとして記録されることが望ましい。
【００３１】
一例として、再起録可能なデータゾーン３０の所定領域に記録可能な有効記録層情報を記録しうる。ここで、再起録可能なデータゾーンは、リードイン領域だけでなく、リードアウト領域にも備えられている。
【００３２】
記録可能な有効記録層情報は、再起録可能なデータゾーン３０の所定領域、例えば、ディスクコントロールデータ領域３０ｃ−１，３０ｃ−２，３０ｃ−３，３０ｃ−４または保留領域３０ｃ−５，３０ｃ−６に記録されうる。図４を参照するに、ディスクコントロールデータ領域３０ｃ−１，３０ｃ−２，３０ｃ−３，３０ｃ−４または保留領域３０ｃ−５，３０ｃ−６は、複数のバイトより構成され、これらバイトのうち何れか１バイトの８ビットを利用して各ビットに記録可能な記録層情報を記録する。ここで、記録可能な有効記録層情報は、サムチャンネルｃｈ１で再生されるデータであって、例えばユーザデータ領域で使われる記録方式と同一に記録されうる。
具体的に、所定のＢＰの各ビットに相異なる記録層が対応し、それぞれ対応する記録層についての情報を各ビットに記録する。一例として、それぞれのビットに対応する記録層を次の表１のように規定できる。
【００３３】
【表１】
2005528726.tif 000003
前記表１を参考として各ビットポジションに、対応する記録層についての情報をそれぞれ記録することによって、記録可能な有効記録層をいずれも表せる。すなわち、第７ビット７ｂに０ｂが記録されれば、第１記録層が記録可能であることを、１ｂが記録されれば、記録不可能であることをそれぞれ表す。また、第６ビット６ｂに０ｂが記録されれば、第２記録層の記録が可能であることを、１ｂが記録されれば、記録が不可能であることをそれぞれ表す。残りの第５ないし第０ビット５ｂ，４ｂ，３ｂ，２ｂ，２ｂ，１ｂ，０ｂについても同じ方法で適用されてそれぞれのビットに対応する記録可能な記録層についての情報を表せる。
【００３４】
第２実施例によって、例えば、正規の記録層数が８層よりなっているが、記録特性に対するテスト時に第５ないし第７記録層のみが特性を満足させると現れた場合、表１を参考として記録可能な有効記録層情報を記録すれば、１１１１１０００１ｂと記録されうる。
【００３５】
ここで、信頼性の確保のために記録可能な有効記録層情報をリードイン領域とリードアウト領域の再起録可能な領域に重複して記録しうる。
【００３６】
前述した第１及び第２実施例によれば、記録可能な有効記録層をいずれも表せるので、さらに正確で具体的な記録層情報を提供できる利点がある。
【００３７】
図５は、本発明による多層の光情報保存媒体及びその記録／再生方法によってアクセス可能な有効記録層を決定する方法を示すブロック図である。ディスクに情報を記録するためにディスクをディスクドライブにローディングし、ディスクの所定領域に記録されたディスク関連情報として、サムチャンネルｃｈ１またはプッシュプル信号を利用する差動信号チャンネルｃｈ２に正規記録速度を読出し、これをメモリに保存する。次いで、前記リードイン領域及びリードアウト領域のうち、少なくとも何れか一つに記録された記録可能な有効記録層情報は、サムチャンネルｃｈ１で再生される。最終的に、サムチャンネルによって再生された記録可能な有効記録層情報によって、ピックアップが対応する記録層にアクセスして記録を行う。一方、表１に示されたように、ディスクに規定されたそれぞれの特定記録層と関連した記録条件は、これに対応するディスク関連情報を読出す時に情報が与えられる。
【００３８】
一方、前記のような記録可能な有効記録層情報を表す速度フラグ情報またはコード情報は、ディスク製造者のみによって記録されなければならず、ディスク出荷後にディスクドライブによって変更、消去されないように保護されなければならない。
【産業上の利用可能性】
【００３９】
本発明による多層の光情報保存媒体及びその記録／再生方法は、保存媒体の製造工程上のエラーによって正規記録層情報をいずれも満足させられない場合に対する対応力を改善させうる。特に、最近、記録容量が次第に高容量化されるにつれて、本発明の必要性がさらに切実に要求されうる。
【００４０】
本発明による多層の光情報保存媒体及びその記録／再生方法によれば、ディスク不良率を低下させ、記録層情報の不正確な適用によってユーザデータが損失されることを防止しうる。
【図面の簡単な説明】
【００４１】
【図１】本発明による光情報保存媒体のリードイン領域の構造を示す図である。
【図２】本発明による光情報保存媒体の記録／再生方法によって記録される光情報保存媒体の一部のデータ構造を示す図である。
【図３】本発明の第１実施例による光情報保存媒体及びその記録／再生方法を説明するための図である。
【図４】本発明の第２実施例による光情報保存媒体及びその記録／再生方法を説明するための図である。
【図５】本発明による光情報保存媒体で記録可能な記録層を決定する方法を説明するブロック図である。
【図１】
2005528726.tif 000004
【図２】
2005528726.tif 000005
【図３】
2005528726.tif 000006
【図４】
2005528726.tif 000007
【図５】
2005528726.tif 000008
【国際調査報告】
2005528726.tif 000009